(57)【要約】      （修正有）【課題】ロール状に巻かれた状態で支持される媒体に対して適切に処理を行なうことが可能な記録装置、及び搬送装置を提供する。【解決手段】被記録媒体を挟んで向かい合うよう配置されており、被記録媒体に当接して被記録媒体を搬送する当接ローラー対２２、２３と、当接ローラー対２２、２３と比べて被記録媒体が搬送される経路の下流側に配置され、被記録媒体に当接して被記録媒体を支持する支持ローラー２５と、当接ローラー対２２、２３の少なくとも一方の当接ローラー２３の位置を変化させることで、当接ローラー対２２、２３の他方の当接ローラー２２の被記録媒体に対する当接と、他方の当接ローラー２３の被記録媒体に対する当接の解除とを切換える可動機構２６と、を有する。【選択図】図１
2014195895.tif 000002
【特許請求の範囲】
【請求項１】
ロール状に巻かれた状態で支持された被記録媒体の一端を引出しつつ記録部が記録を行う記録装置であって、
前記被記録媒体を挟んで向かい合うよう配置されており、前記被記録媒体に当接して前記被記録媒体を搬送する当接ローラー対と、
前記当接ローラー対と比べて前記被記録媒体が搬送される経路の下流側に配置され、前記被記録媒体に当接して前記被記録媒体を支持する支持ローラーと、
前記当接ローラー対の少なくとも一方の当接ローラーの位置を変化させることで、前記当接ローラー対の他方の当接ローラーの前記被記録媒体に対する当接と、前記他方の当接ローラーの前記被記録媒体に対する当接の解除とを切換える可動機構と、を有する記録装置。
【請求項２】
前記当接ローラー対と比べて前記経路の下流側に配置された挟持ローラー対を有し、
前記挟持ローラー対は、前記被記録媒体を挟持して搬送する、請求項１に記載の記録装置。
【請求項３】
前記可動機構は、前記挟持ローラー対が前記被記録媒体に対する搬送を開始した場合に、前記当接ローラー対の前記被記録媒体に対する当接を解除する、請求項１又は請求項２のいずれかに記載の記録装置。
【請求項４】
前記可動機構は、前記被記録媒体に対する前記記録部の記録中に、前記当接ローラー対の前記被記録媒体に対する当接を解除する、請求項１から請求項３のいずれか一項に記載の記録装置。
【請求項５】
前記支持ローラーは、第１の支持ローラーと第２の支持ローラーとを有し、
前記被記録媒体は、前記当接ローラー対の前記被記録媒体に対する当接が解除された場合に、前記第１の支持ローラーと前記第２の支持ローラーとに張架される、請求項１から請求項４のいずれか一項に記載の記録装置。
【請求項６】
ロール状に巻かれた状態で支持された被搬送媒体の一端を引出しつつ搬送する搬送装置であって、
前記被搬送媒体を挟んで向かい合うよう配置されており、前記被搬送媒体に当接して前記被搬送媒体を搬送する当接ローラー対と、
前記当接ローラー対と比べて前記被搬送媒体が搬送される経路の下流側に配置され、前記被搬送媒体に当接して前記被搬送媒体を支持する支持ローラーと、
前記当接ローラー対の一方の当接ローラーの位置を変化させることで、前記当接ローラー対の他方の当接ローラーの前記被搬送媒体に対する当接と、前記他方の当接ローラーの前記被搬送媒体に対する当接の解除とを切換える可動機構と、を有する搬送装置。
【発明の詳細な説明】
【技術分野】
【０００１】
本発明は、ロール状に巻かれた状態で支持される媒体の一端を引出しつつ処理を行なう装置に関する。
【背景技術】
【０００２】
従来、印刷装置等の記録装置では、被記録媒体を記録部まで搬送し、記録部がこの被記録媒体に記録を行った後、装置外部に媒体を排出する。例えば、カットシートを収容部から取り出し、搬送するローラーを備えた装置が開示されている。この装置では、収容部に収容されたカットシートの上面にローラーを押し付けつつ回転させることで、このカットシートを収容部から取り出す。そして、搬送手段は、ローラーの回転に追従して搬送されたカットシートを受け取り、搬送する（例えば、特許文献１参照）。
【先行技術文献】
【特許文献】
【０００３】
【特許文献１】特開平１０−１６７４８９号公報
【発明の概要】
【発明が解決しようとする課題】
【０００４】
媒体がロール状に支持されている場合、カットシートを搬送する場合とは異なり、巻き取られた媒体を引き出しつつ搬送する必要がある。そのため、装置は、媒体とそれぞれ当接するローラー対を備え、このローラー対が媒体の上下で当接することで、媒体の搬送が行われる。そのため、ローラー対は媒体に対して当接の際、摩擦力が強くなるよう構成されている。
しかし、ローラー対と媒体との接触が継続された状態で、この媒体に対して処理を施すと、ローラーと媒体との摩擦力が強く、媒体が無理な姿勢のまま処理が行われる場合や、場合によっては、媒体を傷つけてしまう場合があった。
【０００５】
本発明は、上記課題にかんがみてなされたもので、ロール状に巻かれた状態で支持される媒体に適切な処理を施すことが可能な記録装置、及び搬送装置の提供を目的とする。
【課題を解決するための手段】
【０００６】
上記課題を解決するために、本発明では、ロール状に巻かれた状態で支持された被記録媒体の一端を引出しつつ記録部が記録を行う記録装置であって、前記被記録媒体を挟んで向かい合うよう配置されており、前記被記録媒体に当接して前記被記録媒体を搬送する当接ローラー対と、前記当接ローラー対と比べて前記被記録媒体が搬送される経路の下流側に配置され、前記被記録媒体に当接して前記被記録媒体を支持する支持ローラーと、前記当接ローラー対の少なくとも一方の当接ローラーの位置を変化させることで、前記当接ローラー対の他方の当接ローラーの前記被記録媒体に対する当接と、前記他方の当接ローラーの前記被記録媒体に対する当接の解除とを切換える可動機構と、を有する構成としてある。
【０００７】
ここで、被記録媒体とは、インク等の記録媒体を記録させることができるものであればどのようなものであってもよい。
また、記録部は、被記録媒体に対して記録を行うことができる周知のものであればどの様なものであってもよい。
また、可動機構は、当接ローラー対の少なくとも１つの位置を変化させていずれかの搬送ローラーの被記録媒体に対する当接を解除できるものであればよく、当接ローラー対の全ての位置を変化させるものであってもよい。
【０００８】
上記のように構成された発明では、当接ローラー対による被記録媒体の搬送時には、可動機構が、当接ローラー対の相対的な位置を保持し、被記録媒体に当接させる。一方、可動機構が当接ローラー対の少なくとも一方の位置を変化させて、当該当接ローラー対による当接を解除すると、被記録媒体は支持ローラーに支持される。ここで、被記録媒体は、一端が回転可能に支持された状態で他端を引出して使用しているため、経路上で支持ローラーにより支持されることで、被記録媒体の経路内での位置が変化し、いずれかの当接ローラー対との当接が緩和される。
そのため、当接ローラーとの当接が緩和されることで、被記録媒体が無理な姿勢になったり、傷ついたりすることがなく、被記録媒体の記録を行うことができる。
【０００９】
また、前記当接ローラー対と比べて前記経路の下流側に配置された挟持ローラー対を有し、前記挟持ローラー対は、前記被記録媒体を挟持して搬送する、構成としてもよい。
上記のように構成された発明では、挟持ローラー対が被記録媒体を挟持して搬送することで、被記録媒体を確実に位置決めし、記録を精度良く行うことができる。
【００１０】
そして、前記可動機構は、前記挟持ローラーが前記被記録媒体に対する搬送を開始した場合に、前記当接ローラー対の前記被記録媒体に対する当接を解除する構成としてもよい。
上記のように構成された発明では、挟持ローラー対の挟持と当接ローラー対の当接とが干渉して被記録媒体に無理な姿勢を強いたり、無理な力が加わるのを抑制することができる。
【００１１】
さらに、前記可動機構は、前記被記録媒体に対する前記記録部の記録中に、前記当接ローラー対の前記被記録媒体に対する当接を解除する、構成としてもよい。
上記のように構成された発明では、記録中の当接ローラー対による影響を緩和することができる。
【００１２】
また、前記支持ローラーは、第１の支持ローラーと第２の支持ローラーとを有し、前記被記録媒体は、前記当接ローラー対の当接が解除された場合に、前記第１の支持ローラーと前記第２の支持ローラーとに張架される、構成としてもよい。
上記のように構成された発明では、当接ローラー対の当接が解除された場合に、被記録媒体を第１の支持ローラーと第２の支持ローラーとで張架するため、被記録媒体が当接ローラー対と離間された位置となる。その結果、当接ローラー対が被記録媒体に当接することで生じる摩擦の発生を抑制することができる。
【００１３】
そして、本発明は、ロール状に巻かれた状態で支持される被搬送媒体を搬送する搬送装置に対しても適用することができる。
【図面の簡単な説明】
【００１４】
【図１】本技術の例を説明するため記録装置の要部を例示した側面図である。
【図２】記録装置の例として大型のインクジェットプリンターの外観を示す斜視図である。
【図３】スタッカーを省略して記録装置を示す縦断面図である。
【図４】記録装置の構成を説明するブロック図である。
【図５】印刷処理の流れを説明するフローチャートである。
【図６】第１ポジジョンと第２ポジションとのロール紙の経路の変化を説明する図である。
【発明を実施するための形態】
【００１５】
以下、下記の順序に従って本発明の実施形態を説明する。
１．第１の実施形態：
２．第２の実施形態：
３．その他の実施形態：
【００１６】
１．第１の実施形態： 
図１は、本技術の例を説明するため記録装置の要部を例示した側面図である。また、図２は、記録装置の例として大型のインクジェットプリンターの外観を示す斜視図である。そして、図３はスタッカー１９を省略して記録装置を示す縦断面図である。さらに、図４は、記録装置の構成を説明するブロック図である。
【００１７】
この第１の実施形態では、記録装置は、ロール紙（被記録媒体、被搬送媒体）Ｒ１、Ｒ２に対して記録を行うインクジェットプリンターとして実現される。
図２に示すように、記録装置１は、筐体１０と、この筐体１０に対してスライド方向Ｄ１にスライド可能に設けられた給紙ユニット５０とを備える。また、記録装置１は、装置上部奥の第１ロール紙Ｒ１と装置下部の第２ロール紙Ｒ２とを切り替えて印刷する（記録を行う）ことが可能である。また、印刷後のロール紙は、カッター１８で切断された後、排出部１７を通して排出され（図３のＲ４）、スタッカー１９にスタックされる。
【００１８】
上述した図中、符号Ｄ１は、筐体１０に対する給紙ユニット５０のスライド方向を示している。符号Ｄ２は、給紙ユニット５０が収容位置Ｌ１から引出位置へ向かう引出方向を示している。また、符号Ｄ３は、給紙ユニット５０が、引き出された状態から収容位置Ｌ１に向かう収容方向を示している。そして、符号Ｄ４は、記録装置１の高さ方向を示す。
【００１９】
ロール紙Ｒ１、Ｒ２は、ロール状に巻いた連続紙である。ロール紙Ｒ１，Ｒ２は、外側が印刷面とされている。むろん、繰り出し機構２１，５１の位置を変えると、内側が印刷面とされたロール紙も使用可能である。ロール紙には、紙、布、プラスチックシート、皮革、等、種々の材質の巻回シートを使用することができる。
【００２０】
また、図３等に示すように、筐体１０内には、記録部１２、搬送ローラー対（挟持ローラー対）１５，１６、カッター１８、経路１１、２０、３０、４０、給紙機構（２１〜２６）、給紙機構（５１〜５７）、及びコロローラー３１、制御部６０、を備えている。
【００２１】
ロール紙Ｒ１又はロール紙Ｒ２が給紙及び搬送される経路には、搬送用経路１１、第１給紙経路２０、第２給紙経路３０、４０とを含む。搬送用経路１１は、ロール紙Ｒ１（Ｒ２）に対して印刷が行われる経路である。また、第１給紙経路２０は、ロール紙Ｒ１を搬送ローラー対１５、１６に対して給紙する経路である。また、第２給紙経路３０、４０は、ロール紙Ｒ２を搬送ローラー対１５、１６に給紙する経路である。特に、第２給紙経路４０は、給紙ユニット５０の直近に形成された経路であり、第２給紙経路３０は、第２給紙経路３０と比べて下流側に形成された経路である。
【００２２】
なお、各経路１１、２０、３０、４０の定義及び位置関係は、これに限定されない。例えば、搬送用経路１１の一部と、第１給紙経路２０又は第２給紙経路４０との一部とが重複していてもよい。また、各経路の間に異なる経路が形成されていてもよい。
【００２３】
搬送用経路１１には、搬送ローラー対１５、１６、記録部１２とが配置されている。
搬送ローラー対１５，１６は、下側に配置された駆動ローラー１５と、上側に配置された従動ローラー１６とを備える。駆動ローラー１５は、後述する搬送用モーター７１により回動する。また、従動ローラー１６は、回動可能に支持されており、駆動ローラー１５とで被記録媒体を挟持する。そのため、従動ローラー１６は、駆動ローラー１５の回動により搬送されるロール紙Ｒ１（Ｒ２）に従動して回転する。
【００２４】
記録部１２は、搬送用経路１１における搬送ローラー対１５、１６と比べて下流側に配置されている。記録部１２は、記録ヘッド１３と、搬送されるロール紙Ｒ１、Ｒ２を下方から支持するプラテン１４とを備える。本実施形態では、記録装置１は、図示しないキャリッジによりロール紙Ｒ１、Ｒ２が搬送される向きに対して交差する向きに記録部１２を移動させるシリアル型のプリンターとして説明を行う。しかし、記録装置１は、ラインヘッド型のプリンターであってもよい。
【００２５】
第１給紙経路２０には、ロール紙Ｒ１を支持する繰り出し機構２１、給紙ローラー対（当接ローラー対）２２，２３、支持ローラー２４，２５、を備えている。
【００２６】
繰り出し機構２１は、ロール紙Ｒ１をロール軸で回転可能に支持している。本実施形態では、繰り出し機構２１はロール紙Ｒ１を回転させる動力を有していないが、繰り出し機構２１がロール紙Ｒ１を回転させる動力を有するものであってもよい。
【００２７】
給紙ローラー対２２，２３は、第１給紙経路２０で給紙されるロール紙Ｒ１を挟んで上方側に配置された駆動ローラー２２と、下方側に配置された従動ローラー２３とを備える。駆動ローラー２２は、後述する給紙用モーター７２の回動により回転しロール紙Ｒ１を搬送用経路１１に給紙する。例えば、駆動ローラー５２は、ゴムローラーにより構成されている。また、従動ローラー２３は、駆動ローラー２２とでロール紙Ｒ１の対向するそれぞれの面に当接しつつ、駆動ローラー２２の回動に応じて給紙されるロール紙Ｒ１に従動して回転する。
【００２８】
可動機構２６は、従動ローラー２３を回転可能に支持している。また、図１（ａ）に示すように、可動機構２６は、従動ローラー２３の位置を、駆動ローラー２２と近接させる第１のポジションと、図１（ｂ）に示す駆動ローラー２２とを離間させる第２のポジジョンとに切換える。従動ローラー２３が第１のポジションに位置する場合、従動ローラー２３は、ロール紙Ｒ１の面に当接する。一方、従動ローラー２３が、第２のポジジョンに位置する場合、ロール紙Ｒ１に対する当接は解除される。
【００２９】
この第１の実施形態では、可動機構２６は、後述する可動用モーター７３の駆動に応じて支点２６ａを基準に揺動し、従動ローラー２３の位置を第１のポジションと第２のポジションとに切換える。無論、可動機構２６の構成は一例に過ぎず、従動ローラー２３の位置を第１のポジションと第２のポジションとに切換えるものであればどの様な機構を備えるものであってもよい。
【００３０】
支持ローラー２４、２５は、給紙ローラー対２２、２３よりも第１給紙経路２０の下流側に配置された第１の支持ローラー２４と、給紙ローラー対（２２、２３）よりも第１給紙経路２０の上流側に配置された第２の支持ローラー２５と備える。第１の支持ローラー２４は、第１給紙経路２０の上部の壁に回転可能に支持されており、この壁の内面から少し経路内に出ている。第２の支持ローラー２５は、第１給紙経路２０の上部の壁に回転可能に支持されており、この壁の内面から少し経路内に出ている。
【００３１】
また、給紙ユニット５０には、第２ロール紙Ｒ２を支持する繰り出し機構５１が配置されている。また、第２給紙経路４０には、給紙ローラー対（搬送ローラー対）５２，５３、媒体検出センサー５４、可動機構５５、支持ローラー５６、５７が位置している。
【００３２】
給紙ローラー対５２，５３は、第２給紙経路４０で給紙されるロール紙Ｒ２を挟んで上方側に配置された駆動ローラー５２と、下方側に配置された従動ローラー５３とを備える。駆動ローラー５２は、後述する給紙用モーター７２の回動に応じて回転する。例えば、駆動ローラー５２は、ゴムローラーにより構成されている。
また、従動ローラー５３は、駆動ローラー５２とでロール紙Ｒ１の対向する面と当接しつつ、駆動ローラー５２の回動に応じて給紙されるロール紙Ｒ２に従動して回転する。
【００３３】
可動機構５５は、従動ローラー５３を回転可能に支持している。また、第１給紙経路２０の可動機構２６と同様、可動機構５５は、従動ローラー５３の位置を駆動ローラー５２と近接させる第１のポジション（図１（ａ））と、駆動ローラー５２と離間させる第２のポジジョン（図１（ｂ））とに切換える。
【００３４】
なお、ローラー対を構成する駆動ローラー及び従動ローラーは、上述した位置関係の逆の配置でもよい。また、可動機構が駆動ローラーの位置を切換えるものであってもよい。そして、従動ローラーの代わりに駆動ローラーを用いてローラー対を一対の駆動ローラーで構成してもよい。さらに、駆動ローラーと従動ローラーとは、ロール紙の両面を挟むようにそれぞれの面に当接する以外にも、搬送方向に当接する位置がずれていてもよい。
【００３５】
媒体検出センサー５４は、第２給紙経路４０において給紙ローラー対５２，５３の上流側にロール紙Ｒ２が供給されているか否かを検出する。
【００３６】
支持ローラー５６、５７は、給紙ローラー対（５２、５３）よりも第２給紙経路４０の下流側に配置された第１の支持ローラー５６と、給紙ローラー対（５２、５３）よりも第２給紙経路４０の上流側に配置された第２の支持ローラー５７と備える。第１の支持ローラー５６は、第２給紙経路４０の上部の壁に回転可能に支持されており、この壁の内面から少し経路内に出ている。第２のローラー５７は、第２給紙経路４０の上部の壁に回転可能に支持されており、この壁の内面から少し経路内に出ている。
【００３７】
第２給紙経路３０には、複数のコロローラー３１が配置されている。コロローラー３１は、第２給紙経路３０を通過するロール紙Ｒ２を支持するものである。コロローラー３１は、第２給紙経路３０の壁に回転可能に支持されており、経路の壁の内面から少し出ている。
【００３８】
図４に示すように、制御部６０は、ＣＰＵ（Central Processing Unit）６１、ＲＯＭ(Read Only memory)６２、ＲＡＭ(Random Access Memory)６３、不揮発性メモリー６４、ヘッド駆動回路６５、モーター駆動回路６６、６７、６８、Ｉ／ＯＩＦ６９を備える。ＲＯＭ６２には、ＣＰＵ６１が実行する制御プログラムやデーターが記録されている。ＣＰＵ６１はＲＯＭ６２に記録された制御プログラムやデーターをＲＡＭ６３に展開しつつ実行することで、記録装置１の駆動を統合的に制御する。
また、不揮発性メモリー６４には、印刷処理において使用されるジョブデーターが記録される。例えば、制御部６０は図示しないパーソナルコンピューター等の外部装置からジョブデーターを受信すると、このジョブデーターを不揮発性メモリー６４に一時的に記録する。
【００３９】
ヘッド駆動回路６５は、記録ヘッド１３と電気的に接続さており、ＣＰＵ６１からの命令により記録ヘッド１３を駆動する。記録ヘッド１３は、例えば、インクをノズルから噴射するインクジェット式の記録ヘッドである。記録ヘッド１３はヘッド駆動回路６５から供給される駆動信号により、ノズルからインクを噴射し、ロール紙Ｒ１（Ｒ２）に記録を行う。
【００４０】
モーター駆動回路６６、６７、６８は、搬送用モーター７１、給紙用モーター７２、可動用モーター７３とそれぞれ接続されており、ＣＰＵ６１からの命令により各モーター（７１、７２、７３）を駆動する。そのため、各モーター駆動回路６６、６７、６８は、各モーター７１、７２、７３に対してドライバーとして機能する。
【００４１】
搬送用モーター７１は動力伝達機構７５を介して搬送ローラー対の駆動ローラー１５、５２に接続されている。そのため、搬送用モーター７１が駆動（回転）することで駆動ローラー１５、５２を回転させる。
【００４２】
給紙用モーター７２は動力伝達機構７６を介して給紙ローラー対の駆動ローラー２２（５３）に接続されている。そのため、給紙用モーター７２が駆動（回転）することで給紙ローラー対の駆動ローラー２２（５３）を回転させる。
なお、図４では、便宜上、動力伝達機構７５、７６には、複数の駆動ローラーが接続された構成として記載するが、これに限定されない。
【００４３】
可動用モーター７３は動力伝達機構７７を介して可動機構２６（５５）に接続されている。そのため、可動用モーター７３が駆動（回転）することで可動機構２６（５５）が可動し、給紙ローラー対の従動ローラー２３（５３）の位置を変化させる。
【００４４】
また、Ｉ／ＯＩＦ６９は、媒体検出センサー５４、及び給紙用モーター７２に取り付けられたエンコーダー７２ａと接続されている。媒体検出センサー５４は、ロール紙Ｒ２の有無を検出するものである。媒体検出センサー５４は、例えば、光学系センサー等の周知のセンサーにより構成される。また、エンコーダー７２ａは、給紙用モーター７２の回転数をパルス信号に変換して出力する。そのため、Ｉ／ＯＩＦ６９は、媒体検出センサー５４及びエンコーダー７２ａからの出力をそれぞれ受信し、ＣＰＵ６１に出力することができる。
【００４５】
次に、記録装置１が実行する印刷処理を説明する。以下に説明する印刷処理では、第２ロール紙Ｒ２を用いた印刷処理について説明を行う。なお、第１ロール紙Ｒ１を用いた印刷処理についても、同様な手法により適用することができる。図５は、印刷処理の流れを説明するフローチャートである。
【００４６】
まず、ユーザーは、給紙ローラー対５２，５３のローラー間の隙間に向けて図示しない挿入口からロール紙Ｒ２の引き出された先端部を挿入する。この状態では、可動機構５５は従動ローラー５３の位置を第１ポジションに保持している。即ち、駆動ローラー５２と従動ローラー５３とは近接している。
【００４７】
そして、媒体検出センサー５４がユーザーにより挿入されたロール紙Ｒ２を検出すると（ステップＳ１：ＹＥＳ）、ステップＳ２では、制御部６０は給紙用モーター７２を回転させる。そのため、給紙用モーター７２の回転が伝達された駆動ローラー５２は、回転を開始する。この状態で、ロール紙Ｒ２の先端が駆動ローラー５２と従動ローラー５３との間に達すると、給紙ローラー対５２、５３は、ロール紙Ｒ２を引き入れる。
【００４８】
そして、引き入れられたロール紙Ｒ２の先端は、支持ローラー５６、５７に支持された状態で、第２給紙経路３０に侵入する。そして、駆動ローラー５２の回転が継続されることで、ロール紙Ｒ２の先端は、第２給紙経路３０を通過して、搬送用経路１１に達する。ここで、給紙ローラー対５２、５３の給紙は、ロール紙Ｒ２の先端が搬送用経路１１内の搬送ローラー対１５、１６に達するまで継続される（ステップＳ３）。
【００４９】
ロール紙Ｒ２の先端が搬送ローラー対１５、１６に達したことを検出する方法としては、例えば、給紙用モーター７２に接続されたエンコーダー７２ａにより検出される回転数をもとに、制御部６０が判断を行う。即ち、ＲＯＭ６２には、給紙されるロール紙Ｒ２の給紙距離に応じた給紙用モーター７２の回転数Ｎ１を記録しておく。この第１の実施形態では、ロール紙Ｒ２の給紙距離は、給紙ローラー対５２、５３から搬送ローラー１５、１６までの距離である。
また、これ以外にも、搬送用経路１１の搬送ローラー対１５、１６と比べて下流側にロール紙Ｒ１、Ｒ２を検出するセンサーを設けるものであってもよい。
【００５０】
そして、ロール紙Ｒ２の先端が搬送用経路１１内の搬送ローラー対１５、１６に達すると（ステップＳ３：ＹＥＳ）、ステップＳ４では、制御部６０は、搬送用モーター７１を駆動させる。搬送用モーター７１の駆動により、搬送ローラー対１５、１６が回転し、ロール紙Ｒ２の先端を記録ヘッド１３側に引き入れる。また、ロール紙Ｒ２は、搬送ローラー対１５、１６に上下からそれぞれ挟持される。
【００５１】
ステップＳ５では、制御部６０は可動用モーター７３を駆動して、給紙ローラー対の従動ローラー５３の位置を切換える。可動用モーター７３の回転により、可動機構５５が可動し、従動ローラー５３の位置が第２ポジションに変化する（図１（ｂ））。従動ローラー５３がロール紙Ｒ２から離間した位置となることで、ロール紙Ｒ２に対する給紙ローラー対５２、５３の当接が解除される。
【００５２】
図６は、第１ポジジョンと第２ポジションとのロール紙の経路の変化を説明する図である。図６に示すように、給紙ローラー対５２、５３による当接が解除された状態では、第２給紙経路４０に位置するロール紙Ｒ２の位置（Ｐ１）が、給紙ローラー対５２、５３に当接された場合の位置（Ｐ２）と比べて異なっている。図６では、ロール紙Ｒ２の上面ＵＰが第１の支持ローラー５６及び第２の支持ローラー５７にそれぞれ当接して支持（張架）されることで、ロール紙Ｒ２の位置が変化している。
【００５３】
その結果、給紙ローラー対５２、５３がロール紙Ｒ２を当接していないため、記録ヘッド１３が記録を行う場合や、搬送ローラー対１５、１６が搬送用経路１１においてロール紙Ｒ２を搬送する場合でも、ロール紙Ｒ２が無理な姿勢になったり、傷ついたりすることがない。
特に、ロール紙Ｒ２が第１の支持ローラー５６、第２の支持ローラー５７により２点で支持（張架）されることで、第２給紙経路４０に位置するロール紙Ｒ２の経路は、駆動ローラー５２及び従動ローラー５３と離間して接しない位置となり、給紙ローラー対５２、５３が接触することで生じる摩擦による影響を抑えることができる。
【００５４】
そして、図５に戻り、ステップＳ６では、制御部６０は記録ヘッド１３を駆動させて、ロール紙Ｒ２に対する記録が行われる。即ち、搬送ローラー対（１５，１６）がロール紙Ｒ２を挟持しつつ、ロール紙Ｒ２の先端をプラテン１４上に搬送する。そして、制御部６０は、不揮発性メモリー６４に記録された、ジョブデーターをもとに、記録ヘッド１３を主走査方向に往復移動させ、ロール紙Ｒ２にインクを記録していく。
【００５５】
ステップＳ７では、制御部６０は印刷処理が終了したか否かを判断する。ここでは、ジョブデーターに含まれる記録画像の最終ラスターデーターの印刷が終了していないため（ステップＳ７：ＮＯ）、ステップＳ６に戻り、搬送ローラー対１５、１６によるロール紙Ｒ２の搬送と、記録ヘッド１３による記録が継続される。一方、記録画像の最終ラスターデーターの印刷が終了した場合（ステップＳ７：ＹＥＳ）、ステップＳ８では、制御部６０はカッター１８を駆動させてロール紙Ｓ２をカットする。そのため、カットされたロール紙Ｓ２の先端は自重により排出され、スタッカー１９に収容される。
【００５６】
そして、ステップＳ９では、制御部６０は、搬送用モーター７１の駆動を停止する。また、ステップＳ１０では、制御部６０は、可動用モーター７３を駆動させ、従動ローラー５３が第１ポジションに位置するよう可動機構５５を駆動させる。
【００５７】
以上説明したように、この第１の実施形態では、給紙ローラー対によるロール紙の給紙時には、可動機構が、給紙ローラー対をロール紙に当接させる位置に保持する。一方、可動機構が給紙ローラー対によるロール紙の当接を解除すると、ロール紙は支持ローラーに支持されて経路内を搬送される。ここで、ロール状に巻かれた状態で支持されるロール紙の引き出された先端側が支持ローラーにより支持されることで、ロール紙の経路内での位置が変化し、給紙ローラー対との当接が緩和される。
そのため、ロール紙に対して記録を行ったり、搬送する場合でも、ロール紙が無理な姿勢になったり、力が加わることがなく、記録を適切に行うことができる。
【００５８】
また、搬送ローラー対がロール紙を挟持することで、搬送時にロール紙を確実に位置決めし、記録を精度良く行うことができる。
また、搬送ローラー対のロール紙に対する搬送を開始した場合に、給紙ローラー対のロール紙に対する当接を解除することで、搬送ローラー対の挟持と給紙ローラー対の当接とが干渉してロール紙に無理な姿勢を強いたり、無理な力が加わるのを抑制することができる。
【００５９】
そして、可動機構が、ロール紙に対する記録中に、給紙ローラーのロール紙に対する当接を解除することで、記録中の給紙ローラー対による影響を緩和することができる。
【００６０】
２．第２の実施形態：
給紙ローラー対を構成する駆動ローラー及び従動ローラーのいずれもが可動機構により退避する構成としてもよい。このような構成とすることで、支持ローラー５６、５７の位置に係わらず、搬送ローラー対１５、１６の搬送時には、ロール紙を搬送ローラー対１５、１６から確実に離間させることができる。そのため、給紙経路の設計をより柔軟に行うことができる。
【００６１】
３．その他の実施形態：
なお、本発明は、種々の変形例が考えられる。
搬送手段としてローラー対を使用することは一例に過ぎない。例えば、媒体を搬送できるものであれば搬送手段がどの様な構成であってもよい。
そして、記録装置は、複数の被記録媒体を切り替えて記録を行う装置以外にも、一つの被記録媒体に記録を行う装置でもよい。
また、記録装置としてインクジェット型のプリンターを用いたことは一例にすぎない。記録装置は、レーザープリンター等の他のプリンターや、ファクシミリ等の複合機であってもよい。
【００６２】
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００６３】
１…記録装置、１０…筐体、１１…搬送用経路、１２…記録部、１３…記録ヘッド、１４…プラテン、１５…搬送ローラー対、１７…排出部、１８…カッター、１９…スタッカー、２０…第１給紙経路、２１…繰り出し機構、２２…駆動ローラー、２３…従動ローラー、２４…第１の支持ローラー、２５…第２の支持ローラー、２６…可動機構、２６ａ…支点、３０…第２給紙経路、３１…コロローラー、４０…第２給紙経路、５０…給紙ユニット、５１…繰り出し機構、５２…駆動ローラー、５３…従動ローラー、５４…媒体検出センサー、５５…可動機構、５６…第１の支持ローラー、５７…第２の支持ローラー、６０…制御部、６１…ＣＰＵ、６２…ＲＯＭ、６３…ＲＡＭ、６４…不揮発性メモリー、６５…ヘッド駆動回路、６６、６７、６８…モーター駆動回路、７１…搬送用モーター、７２…給紙用モーター、７２ａ…エンコーダー、７３…可動用モーター、７５、７６、７７…動力伝達機構、Ｒ１、Ｒ２…ロール紙
【図１】
2014195895.tif 000003
【図２】
2014195895.tif 000004
【図３】
2014195895.tif 000005
【図４】
2014195895.tif 000006
【図５】
2014195895.tif 000007
【図６】
2014195895.tif 000008